(57)【特許請求の範囲】
【請求項１】
上下・左右及び背面と正面の平面板に囲まれた箱体と、この箱体に格納された中央演算装置と、信号伝達用のバスと、カラオケデータを記憶する記憶装置と、この記憶装置から前記バスを介してカラオケデータを読み出し音声に再生し外部のスピーカに送り出す電子回路とからなるカラオケ装置であって、
前記上下・左右いずれかの平面板内側には、当該平面板に対し平行移動可能で前記正面の平面板の開口部から垂直に飛び出す方向に引き出し可能な基台を設け、一端が前記記憶装置に信号伝達用に接続される折り曲げ自在な一方のケーブルと、当該一方のケーブルの他端に信号伝達用に接続されるメス又はオスコネクタと、
一端が前記バスに信号伝達用に接続される折り曲げ自在な他方のケーブルと、当該他方のケーブルの他端に信号伝達用に接続されるオス又はメスコネクタと、これらメスコネクタとオスコネクタとを互いに結合及び分離可能に構成して信号を伝達及び遮断可能とし、これら一方のケーブルと他方のケーブル及びメスコネクタとオスコネクタとを前記基台に係止し、前記基台を前記箱体正面の平面板の開口部から前記双方のケーブルを伸ばしながら引き出し、前記メスコネクタとオスコネクタとを分離することを特徴とするカラオケ端末のコネクタ取り付け構造。
【請求項２】
前記メスコネクタとオスコネクタが国際統一規格の小型情報処理装置の標準電子部品により構成されることを特徴とする請求項１に記載のカラオケ端末のコネクタ取り付け構造。
【請求項３】
上下・左右及び背面と正面の平面板に囲まれた箱体と、この箱体に格納された中央演算装置と、信号伝達用のバスと、カラオケデータを記憶する記憶装置と、この記憶装置から前記バスを介してカラオケデータを読み出し音声に再生し外部のスピーカに送り出す電子回路とからなるカラオケ端末と、
入出力部と中央制御装置とカラオケデータが格納された記憶部とを備えた情報処理装置とからなり、
当該情報処理装置から前記カラオケ端末にカラオケデータを転送するカラオケデータ転送構造であって、
前記上下・左右いずれかの平面板内側には、当該平面板に対し平行移動可能で前記正面の平面板の開口部から垂直に飛び出す方向に引き出し可能な基台を設け、一端が前記記憶装置に信号伝達用に接続される折り曲げ自在な一方のケーブルと、当該一方のケーブルの他端に信号伝達用に接続されるメス又はオスコネクタと、
一端が前記バスに信号伝達用に接続される折り曲げ自在な他方のケーブルと、当該他方のケーブルの他端に信号伝達用に接続されるオス又はメスコネクタと、これらメスコネクタとオスコネクタとを互いに結合及び分離可能に構成して信号を伝達及び遮断可能とし、これら一方のケーブルと他方のケーブル及びメスコネクタとオスコネクタとを前記基台に係止し、
前記情報処理装置には前記記憶部と信号伝達用に接続されたケーブルを設け、このケーブルの先端には前記カラオケ端末のオス又はメスコネクタと同形の信号伝達用に接続されるオス又はメスコネクタを設け、
前記カラオケ端末の基台を前記箱体正面の平面板の開口部から前記双方のケーブルを伸ばしながら引き出し、前記メスコネクタとオスコネクタとを分離し、
前記情報処理装置のオス又はメスコネクタを前記カラオケ端末のメス又はオスコネクタと結合し、前記情報処理装置の記憶部から前記カラオケ端末の記憶装置に、前記中央制御装置の指令によりカラオケデータを転送することを特徴とするカラオケ端末のコネクタ取り付け構造。
【発明の詳細な説明】
【０００１】
【発明の属する技術分野】
この発明は、カラオケ端末のコネクタ取り付け構造に関する。
【０００２】
【従来の技術】
一般に、通信カラオケ端末では、リクエストされた曲は、その都度通信回線、ＩＳＤＮ回線等の先にあるホスト基地局から送られてくる。
近年の記憶装置技術の発展により、低価格で高性能の記憶装置、磁気記憶装置（ハードディスク）や光磁気記憶装置（ＭＯ）等が安定して得られるようになった。
従って、通信カラオケ端末でも１万曲前後の曲データを記録した記憶装置（ハードディスク）を常備したものが主流になっている。
このような通信カラオケ端末では使用頻度の多い曲データは、記憶装置に予め記憶しているので、リクエストされた曲名で記憶装置にない新曲や、リバイバルで流行りだした曲のみをホスト基地局から受信するようにしている。
【０００３】
図６に従来の通信カラオケ装置の外斜視図を示す、通信カラオケ装置は独立したブロックのスピーカ１８、アンプ６、カラオケ端末９から構成され、各ブロックは箱体に形成されている。
これら各ブロックを回路的に互いに接続するコネクタや、カラオケ端末９内にある記憶装置（ハードディスク）をカラオケ回路や外部に接続するコネクタは、箱体の後面に設けられている。
【０００４】
【発明が解決しようとする課題】
従来の通信カラオケ端末では、コネクタは、箱体の後面に設けられており、設置後にメンテナンスする場合、正面以外は他の装置や機械があり、全体を移動させなければメンテナンスができないので作業が面倒であった。
特に、カラオケ端末の記憶装置（ハードディスク）にサービス用の曲インストーラからコネクタを介し、曲データを転送する作業は、頻度が多く、作業環境の整備は最も必要とされている。
【０００５】
この発明では、メンテナンスや曲更新時に、コネクタの接続・分離作業を行なう環境を能率が向上するように整備することを目的としている。
【０００６】
【課題を解決するための手段】
請求項１の発明に係る通信カラオケ端末１は、複数の平面板４１、４２、４３、４５、４６、４７に囲まれた箱体５０と、この箱体に格納されるカラオケの電子回路と、平面板４７に対し平行に移動し箱体５０から引き出し可能な基台４０と、配線先がカラオケ端末１の電子回路１２、２０に接続される伸縮自在な複数のケーブル４、５、と、これらケーブル４、５間を分離可能に接続し、かつ基台４０上に配置されたコネクタ２１とから構成する。
箱体５０から基台４０を、空いている正面に引き出し、コネクタ２１を分離して保守の機器と接続し、データの転送、チェック等を行う。
【０００７】
【発明の実施の形態】
実施の形態１．
以下この発明を図面に従って説明する。
まず、図５において、本発明のカラオケ装置を構成するブロックのうち通信カラオケ端末１を中心にして説明する。
図５において、カラオケ端末１の回路構成について説明する。
通信カラオケ端末１は通信制御回路（Ｉ／Ｆ）１１、バス１２、ＣＰＵ１３、ワークＲＡＭ１４、ＭＩＤＩ音源１５、バックコーラス発生部１６、音源ミキサ１７、スピーカ１８、マイク１９、ＨＤＤ（ハードディスクドライブ）等の記憶装置２０、この記憶装置２０とバス１２とを接続するコネクタ２１と、画像再生用の歌詞の文字発生回路（ＶＤＰ）２２と、映像ミキサ２３、外付けのレーザーデス（ＬＤ）チェンジャー２４、表示装置のＣＲＴ２５、入出力装置（Ｉ／Ｏ）２６から構成されている。
【０００８】
記憶装置２０にはケーブル４が、バス１２には他のケーブル５が接続され、これらケーブル４、ケーブル５は折り曲げ自在の多線ケーブルである。
ケーブル４の先端にはメスコネクタ７が、他のケーブル５の先端にはオスコネクタ８設けられ、メスコネクタ７とオスコネクタ８とが結合してコネクタ２１を構成している。
例えば、コネクタ２１はＲＳ２３２Ｃタイプであり、記憶装置２０はコネクタ２１を介しバス１２に着脱自在に接続されている。
記憶装置２０は通信カラオケ端末１の箱体に内蔵されているが、メスコネクタ７とオスコネクタ８とを分離し、メスコネクタ７を外部のパソコン等のコネクタと結合すると、外部のパソコン等に対し外付けの記憶装置２０として機能する。
【０００９】
この通信カラオケ端末１は、通信制御回路１１を介し通信回線３に接続され、必要に応じて遠隔地のホスト２から曲データを受信できる。
入出力装置２６は図示しないリモコンからのリクエストを受信し、ＣＰＵ１３はリクエスト曲が記憶装置２０にあれば、そこからカラオケデータ例えばＭＩＤＩデータを読み出す。
ＭＩＤＩデータはワークＲＡＭ１４で解凍され、ＭＩＤＩ音源１５とバックコーラス発生部１６に送られる。
ＭＩＤＩ音源１５では曲データに基づき伴奏音を再生し、バックコーラス発生部１６では、サンプリングデータに基づきバックコーラスを再生し、これらはマイク１９からの歌声と音源ミキサ１７で混合され、スピーカ１８から出力される。
カラオケデータの歌詞データは文字発生回路（ＶＤＰ）２２で文字パターンを発生し、ＬＤチェンジャー２４からの背景映像と映像ミキサ２３で混合されて、ＣＲＴ２５に表示される。
【００１０】
さて、図３において、通信カラオケ端末１の外観構成について説明する。
複数の平面板、前後の正面板４１と後面板４２と上下の上面板４６と下面板４７と左右の左面板４３と右面板４５とで箱体５０を構成する。
この箱体５０の内方に、前述したカラオケ回路が収納されて通信カラオケ端末１を構成している。
なお、正面板４１にはリクエストのキースイッチや数字表示ＬＥＤやエコライザー等が設けられている。
後面板４２は図示されないが、電源コードやスピーカ用の端子等が設けられている。
【００１１】
図２は箱体５０の水平面による断面図を示し、下面板４７の上方には互い平行な角柱状棒のカイドバー４８、４９が固設され、これらカイドバー４８、４９の間には基台４０が慴動可能に設けられている。
図２では基台４０は下面板４７からカイドバー４８、４９に沿って引き出されている。
基台４０は下面板４７と平行であり小面積であり、２本のカイドバー４８、４９に挟まれており、箱体５０から空いている正面方向に引き出したり（図１、２）、押し込めたり（図３）可能となる。
図１、２において、この基台４０上に前述のコネクタ２１は配置され、コネクタ２１のメスコネクタ７とオスコネクタ８は図１、２では結合され、これらコネクタ７、８は基台４０上にバネ挟み等で取り外し可能に取りつける。
【００１２】
コネクタ７、コネクタ８からはケーブル４、５が基台４０上をそれぞれ伸びてケーブル４の先端は、ＨＤＤ２０にケーブル５の先端はバス１２に接続される。下面板４７の先端部上に係止用の丸穴を形成し、基台４０の先端部の下面に球体面を有するバネを設ける。
図３では基台４０を箱体５０に押し込んだ状態を示し、丸穴に球体面が係合して基台４０を下面板４７に固定でき、基台４０は下面板４７の上方にカイドバー４８、４９の間に挿入されている。
【００１３】
図４は曲を更新する曲インストーラ３８と接続された通信カラオケ端末１の配線図である。
曲インストーラ３８は通常のパソコン等であり、キーボードやＣＰＵ３５とＨＤＤ３６を備え、曲インストーラ３８にはケーブル１０が設けられ、ケーブル１０の先端にはオスコネクタ８と同形のオスコネクタがそれぞれ設けられて  図４において、曲インストーラ３８内には、ＣＰＵ３５とＨＤＤ３６を備え、ＨＤＤ３６にはカラオケデータが格納されている。
【００１４】
カラオケ端末１の記憶装置２０に曲インストーラ３８を接続するには、図３の状態にある基台４０を、基台４０の先端を指またはペンチ等で摘んで矢印Ａの方向に引き出す。すると、図１、２、４のように基台４０とともにコネクタ２１が箱体５０から引き出され、露出する。
そこでコネクタ２１をメスコネクタ７とオスコネクタ８に分離し、曲インストーラ３８のオスコネクタ３０を、通信カラオケ端末１のメスコネクタ７に接続して、通信カラオケ端末１の記憶装置（ＨＤＤ）２０と曲インストーラ３８のＨＤＤ３６との間でデータ転送可能となる。
【００１５】
曲インストーラ３８のＣＰＵ３５はケーブル１０、オスコネクタ３０、メスコネクタ７、ケーブル４を介し、通信カラオケ端末１の記憶装置２０に、曲データを転送し登録する。
いつも空間のある正面方向に、基台４０とともにコネクタ２１を引き出すだけで、通信カラオケ装置全体を動かすことなく、簡単に必要なコネクタをメンテナンスやデータ更新のために、外部の調整器や曲インストーラに接続できる。
なお、記憶装置２０用のコネクタみならず、他の多数の各種コネクタを基台４０に配置してもよい。
かくして、メンテナンスが容易になり、格納式のためデザイン上の外観も損なうことがなく、更に格納後はコネクタが見えず、外からは触れられないので、安全性も高くなる。
【図面の簡単な説明】
【図１】  この発明の実施の形態１の通信カラオケ端末のコネクタ取り付け構造の外観斜視図である。
【図２】  実施の形態１の図１のＸ−Ｘ矢示断面図である。
【図３】  実施の形態１の図１の基台を箱体に格納した状態の外観を示す図である。
【図４】  この発明の実施の形態１の通信カラオケ端末と曲インストーラとを接続した接続図である。
【図５】  この発明の実施の形態１の通信カラオケ端末のブロック回路図である。
【図６】  従来の通信カラオケ装置の全体の外観斜視図である。
【符号の説明】
１  通信カラオケ端末、    ２  ホスト、    ３  通信回線、
４、５、１０  ケーブル、    ７  メスコネクタ、
８、３０  オスコネクタ、    １１  通信制御回路、    １２  バス、
１３、３５  ＣＰＵ、  １４  ワークＲＡＭ、    １５  ＭＩＤＩ音源、
１６  バックコーラス発生部、    １７  音源ミキサ、    １８  スピーカ、  １９    マイク、    ２０、３６  記憶装置、    ２１  コネクタ、
２２  文字発生回路（ＶＤＰ）、    ２３  映像ミキサ、
２４  レーザーデス（ＬＤ）チェンジャー、    ２５  表示装置、
２６  入出力装置、    ３８  曲インストーラ、    ４０  基台、
４１  前面板、    ４２  後面板、    ４３  左面板、    ４５  右面板、
４６  上面板、    ４７  下面板、    ４８、４９    ガイドバー、
５０  箱体
【図１】
0003695810.tif 000002
【図２】
0003695810.tif 000003
【図３】
0003695810.tif 000004
【図４】
0003695810.tif 000005
【図５】
0003695810.tif 000006
【図６】
0003695810.tif 000007